(57)【要約】【課題】エアフィルタの自動清掃機能を供えた空気調和機において、充分な清掃機能を保ちつつも、コンパクトに構成可能であり、また通風抵抗の増大を抑制することが可能な空気調和機を提供する。【解決手段】フィルタ２１を巻き取る巻取り機構３０、一対のプーリ３１、３２と、これらプーリ３１、３２間に巻設された環状ベルト３３とから構成する。環状ベルト３３には、上記フィルタ２１の一端部側を取り付ける取付部３４を設ける。フィルタ移動方向の寸法がフィルタ厚さ方向の寸法よりも大きい巻取部にフィルタ２１を巻取る。巻取り機構３０を駆動する駆動手段２６を有する。巻取部の長さを、上記フィルタ２１の長さ以上にした。【選択図】図６
2008057879.tif 000002
【特許請求の範囲】
【請求項１】
吸い込んだ室内空気をフィルタ（２１）を通過させた後、調節して室内へと返流させる空気調和機において、フィルタ（２１）を巻き取ることで移動させる巻取り機構（３０）と、この移動過程においてフィルタ（２１）に付着した塵埃を除去する清掃手段（７０）とを備え、上記巻取り機構（３０）は、フィルタ移動方向の寸法がフィルタ厚さ方向の寸法よりも大きい巻取部にフィルタ（２１）を巻取る機能を有し、さらに上記巻取り機構（３０）を駆動する駆動手段（２６）を有することを特徴とする空気調和機。
【請求項２】
上記巻取り機構（３０）は、フィルタ（２１）の移動方向に間隔を置いて配置された一対のプーリ（３１）（３２）と、これらプーリ（３１）（３２）間に巻設された環状ベルト（３３）とから成り、上記環状ベルト（３３）の外周面に上記巻取部が形成されており、上記環状ベルト（３３）には、上記フィルタ（２１）の一端部側を取り付ける取付部（３４）が設けられ、上記プーリ（３１）を回転駆動する駆動手段（２６）を備えたことを特徴とする請求項１の空気調和機。
【請求項３】
上記巻取部の長さを、上記フィルタ（２１）の長さ以上にしたことを特徴とする請求項１又は請求項２の空気調和機。
【請求項４】
上記環状ベルト３３はフィルタ（２１）の側部（２１ａ）に配置され、上記環状ベルト（３３）とフィルタ側部（２１ａ）とのいずれか一方には、嵌合孔（３４）が形成され、他方には、嵌合孔（３４）に嵌入する突起（３５）が形成されていることを特徴とする請求項２又は請求項３の空気調和機。
【請求項５】
上記環状ベルト（３３）の全周には、所定ピッチで嵌合孔（３４）又は突起（３５）が形成され、フィルタ（２１）の側部（２１ａ）には、上記同ピッチで突起（３５）又は嵌合孔（３４）が形成されていることを特徴とする請求項２〜請求項４のいずれかの空気調和機。
【請求項６】
上記フィルタ（２１）の通常使用位置からの往動時において移動方向後方に位置するプーリ（３２）の近傍には、環状ベルト（３３）に押圧接触するガイド部材（４２）を配設して成り、上記ガイド部材（４２）は、フィルタ（２１）の往動時において、フィルタ（２１）の環状ベルト３３への巻取り始端部がガイド部材（４２）を押し上げて自由通過可能とし、また、フィルタ（２１）の復動時において、フィルタ（２１）の環状ベルト（３３）への巻取り終端部を環状ベルト（３３）の湾曲部から引き剥がす方向にフィルタ（２１）をガイドするよう構成していることを特徴とする請求項２〜請求項５のいずれかの空気調和機。
【請求項７】
上記ガイド部材（４２）を環状ベルト側に付勢する付勢手段（４４）を設けたことを特徴とする請求項６の空気調和機。
【発明の詳細な説明】
【技術分野】
【０００１】
この発明は、空気調和機に関するもので、特にエアフィルタの自動清掃機能を供えた空気調和機に関するものである。
【背景技術】
【０００２】
空気調和機においては、送風ファンにより吸い込んだ室内空気を、熱交換器を通過させることにより冷却または加熱して室内へと返流させるが、空気中に浮遊する塵埃が熱交換器を汚染するのを防止するため、熱交換器の前面側にエアフィルタが設けられている。このフィルタに塵埃が付着して目詰まりが生じて通風抵抗が増大すると、空気調和機の空調能力が低下すると共に、消費電力が増大する。このような不都合を解消するため、フィルタの自動清掃機能を供えた空気調和機が種々提案されている。
【０００３】
フィルタを自動的に清掃する場合、フィルタの全面を清掃ブラシで掃除するため、フィルタと清掃ブラシとの少なくともいずれか一方を移動させる必要がある。エアフィルタを移動させる方法としては、大きく分けて、巻取り方式とループ方式がある。巻取り方式は、特許文献１に開示されているように、一方のローラに巻回されている帯状フィルタを、他方のローラに巻き取ることでフィルタを移動させ、その過程において清掃ブラシによる清掃を行う方式のことである。また、ループ方式は、特許文献２に開示されているように、環状に形成された帯状フィルタを一対のローラで支持し、ローラを回転させることで、帯状フィルタを移動させ、その過程において清掃ブラシによる清掃を行う方式のことである。
【特許文献１】特開２００１−９９４７９号公報
【特許文献１】実開昭６２−１４５０１９号公報
【発明の開示】
【発明が解決しようとする課題】
【０００４】
しかしながら、上記巻取り方式では、巻き取られたフィルタ表面と裏面とが接触することから、表面に付着した、あるいは残存する塵埃が裏面に付着する可能性があり、充分な清掃性能を発揮し得るとはいい難い。また、ループ方式では、風上側と風下側とに２重にフィルタが配置される結果、通風抵抗が増大し、また多くのスペースを必要とするという問題がある。
【０００５】
この発明は、上記従来の課題を解決するためになされたものであって、その目的は、エアフィルタの自動清掃機能を供えた空気調和機において、充分な清掃機能を保ちつつも、コンパクトに構成可能であり、また通風抵抗の増大を抑制することが可能な空気調和機を提供することにある。
【課題を解決するための手段】
【０００６】
そこで請求項１の空気調和機は、吸い込んだ室内空気をフィルタ２１を通過させた後、調節して室内へと返流させる空気調和機において、フィルタ２１を巻き取ることで移動させる巻取り機構３０と、この移動過程においてフィルタ２１に付着した塵埃を除去する清掃手段７０とを備え、上記巻取り機構３０は、フィルタ移動方向の寸法がフィルタ厚さ方向の寸法よりも大きい巻取部にフィルタ２１を巻取る機能を有し、さらに上記巻取り機構３０を駆動する駆動手段２６を有することを特徴とする。
【０００７】
請求項２の空気調和機は、上記巻取り機構４０は、フィルタ２１の移動方向に間隔を置いて配置された一対のプーリ３１、３２と、これらプーリ３１、３２間に巻設された環状ベルト３３とから成り、上記環状ベルト３３の外周面に上記巻取部が形成されており、上記環状ベルト３３には、上記フィルタ２１の一端部側を取り付ける取付部３４が設けられ、上記プーリ３１を回転駆動する駆動手段２６を備えたことを特徴としている。
【０００８】
請求項３の空気調和機は、上記巻取部の長さを、上記フィルタ２１の長さ以上にしたことを特徴としている。
【０００９】
請求項４の空気調和機は、上記環状ベルト３３はフィルタ２１の側部２１ａに配置され、上記環状ベルト３３とフィルタ側部２１ａとのいずれか一方には、嵌合孔３４が形成され、他方には、嵌合孔３４に嵌入する突起３５が形成されていることを特徴としている。
【００１０】
請求項５の空気調和機は、上記環状ベルト３３の全周には、所定ピッチで嵌合孔３４又は突起３５が形成され、フィルタ２１の側部２１ａには、上記同ピッチで突起３５又は嵌合孔３４が形成されていることを特徴としている。
【００１１】
請求項６の空気調和機は、フィルタ２１の通常使用位置からの往動時において移動方向後方に位置するプーリ３２の近傍には、環状ベルト３３に押圧接触するガイド部材４２を配設して成り、上記ガイド部材４２は、フィルタ２１の往動時において、フィルタ２１の環状ベルト３３への巻取り始端部がガイド部材４２を押し上げて自由通過可能とし、また、フィルタ２１の復動時において、フィルタ２１の環状ベルト３３への巻取り終端部を環状ベルト３３の湾曲部から引き剥がす方向にフィルタ２１をガイドするよう構成していることを特徴としている。
【００１２】
請求項７の空気調和機は、上記ガイド部材４２を環状ベルト側に付勢する付勢手段４４を設けたことを特徴としている。
【発明の効果】
【００１３】
請求項１の空気調和機では、巻取り機構３０によって、フィルタ移動方向の寸法がフィルタ厚さ方向の寸法よりも大きい巻取部にフィルタ２１を巻取るようにしているので、従来のように軸体にフィルタ２１を巻回する場合よりも巻取り長さを長くできる。従って、フィルタ２１を巻き取っても表裏の重なり部分が少なくなり、そのため清掃機能の低下を抑制できる。また、従来のループ方式のようにフィルタ機能を奏しない部分が通風経路に存しないので通風抵抗が小となり、良好な空調性能を維持できる。しかも、巻取り機構３０は、空気流れ方向にコンパクトに形成されるので、機器全体のコンパクト化を図ることができる。
【００１４】
請求項２の空気調和機では、巻取り機構３０が、フィルタ２１の移動方向に間隔を置いて配置された一対のプーリ３１、３２と、これらプーリ３１、３２間に巻設された環状ベルト３３とから構成されているので、巻取り操作を確実に行え、動作確実性を確保できる。
【００１５】
請求項３の空気調和機では、巻取り機構３０における巻取部の長さを、上記フィルタ２１の長さ以上にしたので、巻き取ったフィルタ２１の重なりを確実に回避でき、清掃機能の低下を一段と有効に抑制できる。
【００１６】
請求項４、及び請求項５の空気調和機では、上記環状ベルト３３とフィルタ側部２１ａとが嵌合孔３４と突起３５とで連結結合されるので、確実な巻取り動作を行うことが可能となる。また、突起３５を嵌合孔３４に嵌入させるだけで、フィルタ２１をベルト３３に装着できるので、フィルタ２１の着脱作業を容易に行うことができる。
【００１７】
請求項６、及び請求項７の空気調和機では、フィルタ２１の復動時において、フィルタ２１の環状ベルト３３への巻取終端部を環状ベルト３３の湾曲部から確実に引き剥がすことができるので、確実な復動動作が行え、清掃動作の確実性が向上する。
【発明を実施するための最良の形態】
【００１８】
次に、この発明の空気調和機の具体的な実施の形態について、図面を参照しつつ詳細に説明する。図１は空気調和機の全体の分解斜視図であり、図２はその縦断面図である。空気調和機は、本体ユニット１０と、フィルタユニット２０と、前面グリル５０と、前面パネル６０と、ダストボックス７０とを有している。本体ユニット１０は、図２に示すように、底フレーム１１を有し、この底フレーム１１に室内熱交換器１２、送風ファン（クロスフローファン）１３、電装品箱１４（図１参照）等が装着されたもので、室内空気を吸い込んで、冷房、暖房、調湿等の空調運転を行うようになっている。上記フィルタユニット２０は、エアフィルタ２１を備え、このフィルタ２１を室内熱交換器１２の前面側（風上側）に配置することによって、空気中に浮遊する塵埃が室内熱交換器１２を汚染するのを防止する。また、このフィルタユニット２０は、フィルタ２１に付着した塵埃を除去する清掃を行うため、フィルタ２１を下方に移動させる巻取り機構３０を有している。巻取り機構３０については、後述する。上記ダストボックス７０は、フィルタ２１の清掃を行う機能を有するものである。そして、上記本体ユニット１０の底フレーム１１に、フィルタユニット２０が取り付けられ、フィルタユニット２０には、フィルタユニット２０を覆うように、前面グリル５０が取り付けられている。前面グリル５０には、その前面を開閉自在に覆う前面パネル６０が取り付けられている。また、前面グリル５０の下部には、ダストボックス７０が取り付けられるが、このダストボックス７０は、清掃手段となるものであって、前面パネル６０の下部において、本体ユニット１０の吹出口１５の上部位置に取り付けられている。このダストボックス７０は、前面パネル６０が閉じた状態でそのまま、つまり前面パネル６０とは干渉することなく、外部から着脱可能な状態で取り付けられている。
【００１９】
上記フィルタユニット２０は、図１のように、左右一対の枠ユニット２２ａ、２２ｂを有し、各枠ユニット２２（以下、左右を特に区別しない場合には、枠ユニットを符号２２で示す）にそれぞれエアフィルタ２１が移動可能に支持されている。正面から見て右側に位置する枠ユニット２２ａの詳細を、図３に示している。枠ユニット２２は、下部に位置する本体部２３と、本体部２３から斜め上方に延びるガイドアーム２４とを有している。本体部２３には、後述するフィルタ２１の巻取り機構３０が装着され、また、上記ガイドフレーム２４は、その内側に溝状のガイド部２５（図２参照）が形成されたものであって、通常の使用時には所定位置にフィルタ２１を保持し、フィルタ２１が移動する際にはその両側部をガイドする機能を有している。上記本体部２３の向かって右側方には、上下一対のモータ２６、２７が取り付けられている。これら各モータ２６、２７はいずれも巻取り機構３０の駆動手段となるもので、下側のモータ２６は、図示した右側枠ユニット２２ａのフィルタ２１を駆動し、上側のモータ２７は、図１に示す左側の枠ユニット２２ｂのフィルタ２１を駆動するためのものである。このモータ２７から左側フィルタ２１を駆動するための動力伝達経路については、後述する。なお、図３に示すように、各枠ユニット２２においては、本体部２３の前面側は、扉部４１となされており、その上部を支点として、その下部が前後方向に回動可能となっている。
【００２０】
図２に示すように、枠ユニット２２の本体部２３には、フィルタ２１を移動させるための巻取り機構３０が取り付けられている。巻取り機構３０は、図２及び図４に示しているように、フィルタ２１よりも空気流通方向後方に配置され、上下一対の歯付ベルト用プーリ３１、３２と、両プーリ３１、３２間に巻設された環状の歯付ベルト３３とを有している。上記両プーリ３１、３２は、その回転軸が水平方向、すなわちフィルタ２１の移動方向とは直交し、かつフィルタ平面に沿う方向に延びるように、かつ所定の間隔を置いて、互いに平行に配置されている。この結果、巻取り機構３０においては、フィルタ２１の移動方向の寸法がフィルタ２１の厚さ方向の寸法よりも大きくなる巻取部が形成されることになる。フィルタ２１の移動方向とは、図においては、上下方向（フィルタ２１の前面の移動方向）であり、空気流れをもとにいえば、空気流通方向と直交する方向であって、フィルタ２１の移動経路に沿う方向のことである。また、フィルタ２１の厚さ方向とは、図においては、左右方向であり、空気流通方向のことである。そして、このような巻取り機構３０は、各枠ユニット２２において、左右一対のものとして、２個ずつ配置されている。上記環状ベルト３３には、図４に示しているように、その全周にわたって、所定の間隔（等ピッチ）で、取付部としての嵌合孔３４が形成されている。
【００２１】
図５に示すように、エアフィルタ２１は帯状のものであって、その裏面側において、両側部の枠体２１ａに、上記嵌合孔３４に嵌入する突起３５が、嵌合孔３４と同一ピッチで突設されている。そして、フィルタ２１が環状ベルト３３に対して、突起３５を嵌合孔３４に嵌入させて取り付けられる。この場合、図２、及び図６に示すように、初期位置（通常の使用位置）として、フィルタ２１の下端部が下側プーリ３１の近傍に位置するように取り付けるものとする。そして、この状態では、フィルタ２１の上側は、その両側から、枠ユニット２２のガイドフレーム２４のガイド部２５にガイドされ、支持されている。また、フィルタ２１の下側は、その前面側から扉部４１の裏面によってガイドされ、支持されている。そして、フィルタ２１は、従来の空気調和機と同様に、室内熱交換器１２の風上側のほぼ全域を覆うようになっている。
【００２２】
上記一対のプーリ３１、３２と環状ベルト３３とによって、巻取り機構３０が構成され、また、モータ２６によって駆動手段が構成されるが、ここで留意する点は、巻取り機構３０において形成される巻取部の長さ、すなわち環状ベルト３３の周長を、フィルタ２１の全長よりもやや長くしてあることである。これは、フィルタ２１の全長を環状ベルト３３に巻き取る際に、重なり部分を生じることなく巻取るためである。
【００２３】
また、上記上側プーリ３２の上方には、ガイド部材４２が配設されている。ガイド部材４２は、支軸４３の周りに回動可能に枢支されたものであって、支軸４３の近傍に配置された弾性部材４４によって、その先端部が下方へと付勢されている。すなわち、通常の状態では、ガイド部材４２の先端部が上側プーリ３２の上部に位置する環状ベルト３３の表面に摺接している。
【００２４】
上記した右側の枠ユニット２２ａにおいては、図２に示す下側のモータ２６によって下側プーリ３１が回転駆動される。次に、この駆動機構、及び左側枠ユニット２２ｂにおいて、左側フィルタ２１を駆動するための動力伝達経路について説明する。その概略構成を、図８〜図１０に示している。図８、及び図９に示すように、下側モータ２６の出力軸４０は、右側枠ユニット２２ａの２個のギアから成るギア群３６を介して、右側枠ユニット２２ａの下側プーリ３１を回転駆動する。図８に示すように、上側モータ２７の出力軸３８に連結された伝達軸３８ａは、右側枠ユニット２２ａを貫通して左方へと延びて、その先端が右側枠ユニット２２ａの左側に突出する。そして、図１０に示すように、４個のギアから成るギア群３７を介して、左側枠ユニット２２ｂの下側プーリ３１を回転駆動する。また、図８に示すように、各枠ユニット２２ａ、２２ｂにおいて、上側プーリ３２同士は、連動軸３９によって連動連結されており、下側プーリ３２のうちの１個が回転駆動されると、環状ベルト３３、連動軸３９を介して、全てのプーリ３１、３２が同期して回転する。
【００２５】
そして、上記のように、エアフィルタ２１と巻取り機構３０とを内蔵した左右一対の枠ユニット２２ａ、２２ｂを連結すると共に、右側の枠ユニット２２ａに駆動手段としてのモータ２６、２７を付設し、連動機構（下側モータ２６の出力軸４０、ギア群３６、上側モータの出力軸３８、伝達軸３８ａ、ギア群３７）を介して各巻取り機構３０を駆動可能にすることによって、フィルタユニット２０が構成される。そして、図２に示すように、フィルタユニット２０は、底フレーム１１に対して取り付けられている。各枠ユニット２２の先端部に設けた係合爪片２８が、底フレーム１１の上端部に係止され、また各枠フィルタ２２の下部に突設された取付片２９が底フレーム１１の吹出口１５の近傍にビス止め固定されている。
【００２６】
上記フィルタユニット２０に対して、前面グリル５０が取り付けられ、さらに前面グリル５０の下部位置であって、吹出口１５の上部位置に、ダストボックス７０が取り付けられる。このダストボックス７０について説明する。このダストボックス７０は、フィルタ２０に付着した塵埃を除去する機能を有し、清掃手段を構成するものである。図２に示しているように、フィルタユニット２０の下部の位置においては、各枠ユニット２２はその下部位置（すなわち、下側プーリ３１と対応する位置）が開放されており、この位置に移動してくるエアフィルタ２１の表面を清掃するようになっている。そのため、ダストボックス７０には、回転ブラシ７１が配設されており、この回転ブラシ７１がフィルタユニット２０の下側から、この部分に移動してくるフィルタ２１に押圧接触する。そして、清掃時においては、図示しないモータ等の駆動手段によって回転駆動される。
【００２７】
上記空気調和機においては、フィルタ２１を図２、及び図６に示す通常位置に位置させて空調運転を行う。そして、運転終了時あるいは所定時間運転を行った後の運転終了時等に、フィルタ２１に付着している塵埃の除去作業を行う。以下、この手順について、図６、及び図７を参照しながら説明する。なお、説明の便宜上、図６の状態（通常運転時の状態）においてフィルタ２１の下側部分を巻取り始端部と呼び、フィルタ２１の上側先端部分を巻取り終端部と呼ぶ。まず、図６の状態から、各モータ２６、２７を駆動し、環状ベルト３３を移動させると共に、ダストボックス７０の回転ブラシ７１を回転駆動する。そうすると、ベルト３３と共に、フィルタ２１は下降し、巻取り始端部は下側プーリ３１の周囲を通って裏面側（空気流通方向の後側）を上昇していく。この際、回転ブラシ７１は、下側プーリ３１とは逆方向に回転し、フィルタ２１表面の塵埃を掻き落とす。またこのとき、フィルタ２１に中途部分では、突起３５が順次、ベルト３３の嵌合孔３４に嵌合していく。そして、巻取り始端部がガイド部材４２の位置に達する前に、巻取り終端部が環状ベルト３３に捲き付けられる。そして、巻取り始端部がガイド部材４２の位置に達すると、弾性部材４４の押圧力に抗してガイド部材４２を押し上げ、その下側を通過し、次いで、ベルト３３と共に下降する。この状態では、ガイド部材４２は、フィルタ２１の表面に押圧接触している。そして、図７のように、巻取り終端部が回転ブラシ７１に接触し、この部分の清掃が完了すると、環状ベルト３３の移動、及び回転ブラシ７１の回転駆動を停止し、往路の清掃作業を終了する。
【００２８】
次に、復路の清掃作業を行うが、この際には、環状ベルト３３の移動方向、及び回転ブラシ７１の回転方向を上記往路とは逆にする。この場合、環状ベルト３３の移動によって、巻取り始端部がガイド部材４２の位置を通過し、ガイド部材は弾性部材４４の弾性力によって、ベルト３３の表面に押圧接触する状態となる。次いで、巻取り終端部が、環状ベルト３３から離脱する。これは、環状ベルト３３は、上側プーリ３２によって、裏面側へと湾曲していくが、フィルタ２１は、それ自体の剛性によって、直立状態を維持しようとするので、両者の間隔が次第に広がり、この結果、フィルタ２１の突起３５が嵌合孔３４から離脱していくことによる。このとき、巻取り終端部の環状ベルト３３からの完全な離脱が行われず、巻取り終端部が環状ベルト３３の湾曲に追従しようとしても、環状ベルト３３の表面にはガイド部材４２が押圧接触しているから、巻取り終端部には、ガイド部材４２から、これをベルト３３から引き剥がす方向への引き剥がし力が作用し、これにより、巻取り終端部は、確実に環状ベルトから離脱する。そして、フィルタ２１が、図６に示す通常使用位置にまで復帰したときに復路の清掃作業を完了する。
【００２９】
上記実施形態の空気調和機によれば、巻取り機構３０によって、フィルタ移動方向の寸法がフィルタ厚さ方向の寸法よりも大きい巻取部、すなわち環状ベルト３３にフィルタ２１を巻取るようにしているので、従来のように軸体にフィルタ２１を巻回する場合よりも巻取り長さを長くできる。従って、フィルタ２１を巻き取っても表裏の重なり部分が少なくなり、そのため清掃機能の低下を抑制できる。また、従来のループ方式のようにフィルタ機能を奏しない部分が通風経路に存しないので通風抵抗が小となり、良好な空調性能を維持できる。しかも、巻取り機構３０は、空気流れ方向にコンパクトに形成されるので、機器全体のコンパクト化を図ることができる。また、巻取り機構３０における巻取部の長さ、すなわち環状ベルト３３の長さを、上記フィルタ２１の長さ以上にしたので、巻き取ったフィルタ２１の重なりを確実に回避でき、清掃機能の低下を一段と有効に抑制できる。さらに、上記環状ベルト３３とフィルタ側部２１ａとが嵌合孔３４と突起３５とで連結結合されるので、確実な巻取り動作を行うことが可能となる。また、突起３５を嵌合孔３４に嵌入させるだけで、フィルタ２１をベルト３３に着脱できるので、フィルタ２１の着脱作業を容易に行うことができる。また、フィルタ２１の復動時において、フィルタ２１の環状ベルト３３への巻取終端部を環状ベルト３３の湾曲部から確実に引き剥がすことができるので、確実な復動動作が行え、清掃動作の確実性が向上する。さらに、フィルタ清掃を全て機内で行うことができるので、清掃時にフィルタ２１が室内へ突出するようなことはなく、そのため、外観品質を向上できる。また、フィルタ２１から除去した塵埃を本体下部に配置したダストボックスに溜めておくので、捕集した塵埃が機内で再飛散する虞が少ない。
【００３０】
以上にこの発明の具体的な実施の形態について説明したが、この発明は上記形態に限定されるものではなく、この発明の範囲内で種々変更して実施することができる。例えば、上記実施形態では、巻取り機構３０を、一対のプーリ３１、３２と環状ベルト３３とで構成しているが、環状ベルト３３を使用せず、一対のギアを上記プーリと略同様に配置し、フィルタ２１の側部２１ａに設けた凹凸を利用して、ギアの回転によって移動させると共に、枠ユニット２２の両側部でフィルタ２１をガイドしながら、フィルタ２１そのものをベルト状に巻き取っていく方式もこの発明に属する方式である。また、上記においては、フィルタ２１の両側に環状ベルト３３を配置しているが、巻取り機構３０を片側にだけ配置してもよいし、さらには、フィルタ２１の中央部に巻取り機構３０を配置して、両側部をガイドするようにしてもよい。また、ガイド部材４２についていえば、弾性部材４４を省略し、自重によって下方へ付勢するようにしてもよい。さらに、空気調和機として、冷房、暖房、調湿を行うものについて説明しているが、空気清浄を行うものもこの発明の対象である。
【図面の簡単な説明】
【００３１】
【図１】この発明の空気調和機の全体構成を示す分解斜視図である。
【図２】上記空気調和機の縦断面図である。
【図３】上記空気調和機の枠ユニットの斜視図である。
【図４】上記空気調和機におけるフィルタの環状ベルトへの取り付け状態を示す斜視図である。
【図５】上記エアフィルタの斜視図である。
【図６】上記空気調和機の巻取り機構を示す縦断面図である。
【図７】上記空気調和機の巻取り機構における巻終わり状態を示す縦断面図である。
【図８】上記空気調和機の駆動手段の動力伝達機構を説明するための概略図である。
【図９】上記動力伝達機構における右側枠ユニットでの伝達経路の概略図である。
【図１０】上記動力伝達機構における左側枠ユニットでの伝達経路の概略図である。
【符号の説明】
【００３２】
２１・・フィルタ、２６、２７・・モータ（駆動手段）、３０・・巻取り機構、３１、３２・・プーリ、３３・・環状ベルト、３４・・嵌合孔、３５・・突起、４２・・ガイド部材、４４・・弾性部材
【図１】
2008057879.tif 000003
【図２】
2008057879.tif 000004
【図３】
2008057879.tif 000005
【図４】
2008057879.tif 000006
【図５】
2008057879.tif 000007
【図６】
2008057879.tif 000008
【図７】
2008057879.tif 000009
【図８】
2008057879.tif 000010
【図９】
2008057879.tif 000011
【図１０】
2008057879.tif 000012
【手続補正書】
【提出日】平成20年1月15日(2008.1.15)
【手続補正１】
【補正対象書類名】特許請求の範囲
【補正対象項目名】請求項１
【補正方法】変更
【補正の内容】
【請求項１】
吸い込んだ室内空気をフィルタ（２１）を通過させた後、調節して室内へと返流させる空気調和機において、フィルタ（２１）を巻き取ることで移動させる巻取り機構（３０）と、この移動過程においてフィルタ（２１）に付着した塵埃を除去する清掃手段（７０）とを備え、上記巻取り機構（３０）は、フィルタ（２１）を巻き付ける巻取部を有し、この巻取部をフィルタ移動方向の寸法がフィルタ厚さ方向の寸法よりも大きくなるよう構成し、さらに上記巻取り機構（３０）を駆動する駆動手段（２６）を有することを特徴とする空気調和機。
【手続補正２】
【補正対象書類名】明細書
【補正対象項目名】０００６
【補正方法】変更
【補正の内容】
【０００６】
そこで、請求項１の空気調和機の空気調和機は、吸い込んだ室内空気をフィルタ２１を通過させた後、調節して室内へと返流させる空気調和機において、フィルタ２１を巻き取ることで移動させる巻取り機構３０と、この移動過程においてフィルタ２１に付着した塵埃を除去する清掃手段７０とを備え、上記巻取り機構３０は、フィルタ２１を巻き付ける巻取部を有し、この巻取部をフィルタ移動方向の寸法がフィルタ厚さ方向の寸法よりも大きくなるよう構成し、さらに上記巻取り機構３０を駆動する駆動手段２６を有することを特徴としている。